(57)【要約】【課題】野外活動において得られた情報を効果的に蓄積し、その蓄積情報から様々な付加価値を生み出し得る方法、及びシステムを提供する。【解決手段】野外活動情報利用システム１は、ＧＰＳ情報を受信する受信装置を備えた移動端末１０と、この移動端末１０が野外を移動した際に、その移動軌跡上の複数位置においてＧＰＳ情報に基づいて生成された端末位置情報がそれぞれ時間情報と対応付けられてデータベースとして記憶されている。そして、このデータベースに記憶されたデータのうち少なくとも一部データを抽出するとともに、その抽出されたデータを分析する分析手段とを備えた構成をなしている。【選択図】  図１
2004171408.tif 000002
【特許請求の範囲】
【請求項１】
ＧＰＳ情報を受信する受信装置を備えた移動端末が野外を移動した際に、その移動軌跡上の複数位置において前記ＧＰＳ情報に基づいて生成された端末位置情報を、それぞれ時間情報と対応付けてデータベースとして端末位置情報記憶手段に記憶しておき、
前記端末位置情報記憶手段に記憶されるデータのうち少なくとも一部データを抽出するとともに、その抽出されたデータを分析手段により分析し、かつその分析結果を出力することを特徴とする野外活動情報利用方法。
【請求項２】
ＧＰＳ情報を受信する受信装置を備えた移動端末と、この移動端末が野外を移動した際に、その移動軌跡上の複数位置において前記ＧＰＳ情報に基づいて生成された端末位置情報がそれぞれ時間情報と対応付けられてデータベースとして記憶される端末位置情報記憶手段と、
この端末位置情報記憶手段に記憶されたデータのうち少なくとも一部データを抽出するとともに、その抽出されたデータを分析する分析手段とを備えることを特徴とする野外活動情報利用システム。
【請求項３】
前記端末位置情報は三次元の位置情報として前記端末位置情報記憶手段に記憶されており、前記分析手段は、前記端末位置情報に基づいて、所定地域の地形図を作成する地形図作成手段を有してなることを特徴とする請求項２記載の野外活動情報利用システム。
【請求項４】
前記移動端末に設けられた入力手段により利用者から入力情報が入力されることに基づいて、野外活動の記録となるべき写真、コメント等の利用者作成情報とその利用者作成情報の作成位置が特定可能となる位置特定情報とを生成する生成手段と、
それら利用者作成情報と位置特定情報とが対応付けられて記憶される利用者作成情報記憶手段と、
を備えたことを特徴とする請求項２または請求項３記載の野外活動情報利用システム。
【請求項５】
野外活動記録の素材となる図鑑情報などの素材情報が予め記憶される素材情報記憶手段と、
利用者から素材を選択する選択情報が前記入力情報として入力されることに基づいて、前記素材情報記憶手段から前記選択情報に対応した素材情報を抽出する素材抽出手段と、
を有し、
前記生成手段は、前記素材抽出手段にて抽出された素材情報を利用者作成情報として生成することを特徴とする請求項４記載の野外活動情報利用システム。
【請求項６】
前記分析手段は、前記利用者作成情報に基づいて、植生マップなどの特定対象の分布マップを作成するマップ作成手段を含むことを特徴とする請求項４または請求項５記載の野外活動情報利用システム。
【請求項７】
前記複数の移動端末は、各々送信手段を有するとともに、各送信手段はそれぞれ無線通信ネットワークを介してサーバに接続され、
さらに、各移動端末は、自身の位置検出が可能な位置検出装置と、該位置検出装置による検出情報に基づいて前記端末位置情報を生成する生成手段とを有し、その生成された端末位置情報が前記送信手段により前記サーバに送信されることを特徴とする請求項２ないし請求項６のいずれかに記載の野外活動情報利用システム。
【発明の詳細な説明】
【０００１】
【発明の属する技術分野】
本発明は、野外活動において得られる情報を利用する方法、及びシステムに関する。
【０００２】
【従来の技術】
従来、学校教育の一環として、或いは様々なグループのふれあい活動として散策、野外調査などの野外活動が広く行われている。例えば、教育活動としての野外調査を例にとると、里山などにおいてノート、カメラなどを持ち歩きながら、動植物などの情報や、地形、地質などの情報を収集し、後にそれを調査記録としてまとめることにより、自然環境への理解を深めようとする活動が行われている。
【０００３】
このような野外活動は主に児童等の教育対象者の教養を深めることを目的とすることが多く、上記のような情報収集も、教育対象者が自然環境を理解したり、その活動記録を記念として残すために行う場合が多い。また、教育活動に限らず、個人、或いはグループの野外活動についても、写真、メモなどを記念として残しておくような方法が広く用いられている。なお、従来における、先行技術文献として下記特許文献１のようなものがある。
【０００４】
【特許文献１】
特開平８−９７９２７号公報
【０００５】
【発明が解決しようとする課題】
ところで、上記のような野外活動にて得られる情報は、その活動を行うものの知識、経験として蓄積されることとなる。しかしながら、そのように収集、蓄積された情報は、活動を行った個人、或いはグループ内で閉じてしまうことが多く、情報を蓄積し、さらに新たな付加価値を生み出そうとする方法やシステムは考えられていない。
【０００６】
本発明は上記のような事情に基づいて完成されたものであって、野外活動において得られた情報を効果的に蓄積し、その蓄積情報から様々な付加価値を生み出し得る方法、及びシステムを提供することを目的とする。
【０００７】
【課題を解決するための手段】
上記の目的を達成するための手段として、請求項１の発明は、  ＧＰＳ情報を受信する受信装置を備えた移動端末が野外を移動した際に、その移動軌跡上の複数位置において前記ＧＰＳ情報に基づいて生成された端末位置情報を、それぞれ時間情報と対応付けてデータベースとして端末位置情報記憶手段に記憶しておき、
前記端末位置情報記憶手段に記憶されるデータのうち少なくとも一部データを抽出するとともに、その抽出されたデータを分析手段により分析し、かつその分析結果を出力する構成としたところに特徴を有する。
【０００８】
請求項２の発明は、ＧＰＳ情報を受信する受信装置を備えた移動端末と、この移動端末が野外を移動した際に、その移動軌跡上の複数位置において前記ＧＰＳ情報に基づいて生成された端末位置情報がそれぞれ時間情報と対応付けられてデータベースとして記憶される端末位置情報記憶手段と、
この端末位置情報記憶手段に記憶されたデータのうち少なくとも一部データを抽出するとともに、その抽出されたデータを分析する分析手段とを備えるところに特徴を有する。
【０００９】
請求項３の発明は、請求項２に記載のものにおいて、前記端末位置情報は三次元の位置情報として前記端末位置情報記憶手段に記憶されており、前記分析手段は、前記端末位置情報に基づいて、所定地域の地形図を作成する地形図作成手段を有してなるところに特徴を有する。
【００１０】
請求項４の発明は、請求項２または請求項３に記載のものにおいて、前記記移動端末に設けられた入力手段により利用者から入力情報が入力されることに基づいて、野外活動の記録となるべき写真、コメント等の利用者作成情報とその利用者作成情報の作成位置が特定可能となる位置特定情報とを生成する生成手段と、
それら利用者作成情報と位置特定情報とが対応付けられて記憶される利用者作成情報記憶手段とを備えたところに特徴を有する。
【００１１】
請求項５の発明は、請求項４に記載のものにおいて野外活動記録の素材となる図鑑情報などの素材情報が予め記憶される素材情報記憶手段と、利用者から素材を選択する選択情報が前記入力情報として入力されることに基づいて、前記素材情報記憶手段から前記選択情報に対応した素材情報を抽出する素材抽出手段と、を有し、前記生成手段は、前記素材抽出手段にて抽出された素材情報を利用者作成情報として生成するところに特徴を有する。
【００１２】
請求項６の発明は、請求項４又は請求項５に記載のものにおいて、前記分析手段は、前記利用者作成情報に基づいて、植生マップなどの特定対象の分布マップを作成するマップ作成手段を含むところに特徴を有する。
【００１３】
請求項７の発明は、請求項２ないし請求項６のいずれかに記載のものにおいて、  前記複数の移動端末は、各々送信手段を有するとともに、各送信手段はそれぞれ無線通信ネットワークを介してサーバに接続され、
さらに、各移動端末は、自身の位置検出が可能な位置検出装置と、該位置検出装置による検出情報に基づいて前記端末位置情報を生成する生成手段とを有し、その生成された端末位置情報が前記送信手段により前記サーバに送信されるところに特徴を有する。
【００１４】
【発明の作用及び効果】
＜請求項１の発明＞
請求項１の発明によれば、多数の野外活動者が収集した情報を蓄積し、分析手段により分析するようにしているため、所定地域に関連した情報を効率的に収集でき、かつ分析により新たな付加価値を生み出すことが可能となるため、野外活動において収集された情報が、その活動者の知識や経験として蓄積されるだけでなく、後に野外活動を行う者や、その情報蓄積がなされるフィールドに関連した事業、活動を行うものにとっても極めて有益な分析情報が得られる方法となる。
【００１５】
＜請求項２の発明＞
請求項２のようにすれば、請求項１の方法を具体的に実現できる好適なシステムとなる。
【００１６】
＜請求項３の発明＞
請求項３の構成によれば、野外活動において得られた端末位置情報に基づいて、所定地域の地形図を作成できることとなり、有用な付加価値を生み出すことが可能となる。
【００１７】
＜請求項４の発明＞
請求項４の発明によれば、野外活動の記録となるべき写真、コメント等の利用者作成情報が、その野外活動以外でも利用できることとなり、情報が効果的に利用できるシステムを実現できる。例えば、先に野外活動を行った者が収集した情報を、後に野外活動を行う者が利用できることとなり、後から活動を行うものはその情報を元に充実した活動を行うことが可能となる。
【００１８】
＜請求項５の発明＞
請求項５の発明によれば、図鑑情報などの野外活動中において有用な情報が現地で（即ち、その野外活動中において）取得できることとなり、また、その素材情報が登録されると、どの位置でどの素材情報が登録されたのかがわかるため、素材情報を関連位置と対応付けることができる。従って、例えば位置毎の関連情報を調べる上で有効な情報構成となる。
【００１９】
＜請求項６の発明＞
請求項６の発明によれば、植生マップなどの特定対象の分布マップを容易に作成することが可能となり、また、その分布マップを間単に利用できるシステム構成となる。例えば、花の生育マップを例に挙げると、鑑賞したい花などがどの位置に生育しているのかが具体的に特定できるため、野外活動において行き先や移動ルートを考慮しやすく、効率的で充実した野外活動を行えることとなる。
【００２０】
＜請求項７の発明＞
請求項７の発明によれば、複数の移動端末の各々において端末位置情報が生成され、かつその生成される情報がサーバに送信されることとなるため、有用性の高い情報を効率的に収集できるシステム構成を実現できる。
【００２１】
また、請求項２ないし請求項７のいずれかに記載のシステムにおいて、以下の要件を付加した構成（以下の構成を具体例１ともいう）としてもよい。
即ち、複数の野外活動者の移動軌跡情報に基づいて、地図上において人の移動経路の傾向を分析する移動傾向分析手段を含むように前記分析手段を構成することができる。このようにすれば、複数の野外活動者の実データに基づいて、人の移動傾向がわかり、例えば、観光地における出店適地の選定や、公園の管理、設計において極めて有用な分析情報が得られることとなる。さらに、その移動傾向分析手段による分析結果について、人の集中度合いが地図上において場所毎に示されるように出力するようにすると一層望ましい。
【００２２】
さらに、上記請求項２ないし７のいずれかに記載のシステム、或いは上記具体例１において、以下のような要件を付加した構成としてもよい。
野外活動者が収集した端末位置情報に基づき、野外活動全体を通しての移動端末の移動距離を算出手段により算出し、得られた移動距離情報と、その利用者の身体に関する身体データとに基づいて野外活動における運動量に関する運動量データ（例えば消費カロリーデータ等）を求め、それら各々の野外活動者の運動量データを所定地域毎（例えば、観光地毎や市町村毎など）に統計処理を行う統計処理手段を設けてもよい。このようにすれば、野外活動者がどれくらいの運動量で野外活動を行っているかが地域毎にわかり、その地域を管理する上で極めて有用な情報が効率的に得られるシステムとなる。例えば，ある地域は運動量が比較的多いので、休憩スペースや飲食物を提供する場所を多く設置すべきだというような施設管理にも利用できるし、或いは運動量が比較的少ないのでお年寄りの方でも無理なく活動を行える場所であるということをアピールするというような、宣伝活動にも利用可能である。さらに、その所定地域毎に統計処理された地域別処理データに基づき、複数地域の地域別処理データの比較処理を行う比較処理手段と、その比較処理手段による比較結果を出力する比較結果出力手段とを設けてもよい。
【００２３】
【発明の実施の形態】
以下、本発明の実施形態を添付図面に基づいて説明する。
＜第１実施形態＞
本発明の第１実施形態を図１ないし図１０を参照しつつ説明する。
図１に示すように、本発明の第１実施形態に係る野外活動情報利用システム１（以下、単にシステム１ともいう）は、移動可能に構成されたコンピュータなどからなる移動端末３と、この移動端末３とインターネット等の通信ネットワークを介して接続されるサーバ２とを備えた構成をなしており、これら移動端末３とサーバ２の間で双方向通信可能に構成されている。
【００２４】
サーバ２は、コンピュータ２０を主体として構成されており、外部と通信（例えば、インターネット通信）を行うための通信手段２１（モデム、ルータ、その他の通信装置等）と、ＣＰＵからなる演算処理手段２２（本実施形態ではこの演算処理手段が、分析手段、地形図作成手段、マップ作成手段等として機能する）と，ＲＯＭ，ＲＡＭ，ハードディスクドライブ（以下、ハードディスクドライブとも称する）等の固定記憶手段や，各種外部記憶媒体に記憶したり、外部記憶媒体に記憶される情報の読み出しを行う外部記憶手段などからなる記憶手段２３と、マウス、キーボード、その他の入力手段２４と、プリンタ、モニタ等の出力手段２５とを備えて構成されている。外部記憶装置としては、スティック状，カード状に構成された半導体メモリーを利用した脱着可能な記憶媒体を用いるものや、光磁気ディスクやフレキシブルディスクなどリムーバブルな各種ディスクを記憶媒体として用いるような装置を利用できる。さらに、地図情報を記憶する地図データベース３１と、道路や施設に関する情報を記憶する道路・施設データベース３２と、自然環境に関する情報が記憶される自然環境データベース３３、及び、上記データベース３１〜３３に記憶される情報以外の静止画、動画等のデジタル画像が記憶されるデジタル画像データベース３４がそれぞれ設けられている。
【００２５】
地図データベース３１は、例えば所定範囲毎のセグメントデータが複数記憶される構成にて地図情報が記憶されるものであり、所定の領域を指定すれば、その指定に対応する領域の地図情報を読み出し可能となっている。道路・施設データベース３２は、道路や鉄道などの交通機関の路線に関する情報や、公共施設などの施設に関する情報が地図上における所在地に対応するように記憶されている。地図データベース３１の地図情報と、道路・施設データベース３２の道路や施設などの情報は合成可能に構成されており、その合成により地図上に道路、路線、施設などが表示可能となっている。さらに、自然環境データベース３３は、動植物、地質、土壌などの自然や環境に関する画像、説明等の情報が格納されている。また、デジタル画像データベース３４は、上記情報以外の各種情報が格納されており、例えば、土地、地域に関連した画像情報（その土地に関連した著名人の画像、土地毎の習慣や行事の画像等）や、土地、地域に関連する事項の説明情報など各種画像をデータベース化できる。
【００２６】
さらに、上記のようなデータベースに加え、当該システムの利用者に関する情報が蓄積された野外活動情報データベース３５が設けられている。野外活動情報データベース３５においては、図８（ａ）のように各利用者毎の情報（具体的には各利用者が野外活動にて収集した情報）がデータベース化されており、各々の利用者情報は、図８（ｂ）のように野外活動における移動軌跡上の複数位置における端末位置情報（ここでは３次元の座標情報）がそれぞれ時間情報と対応付けられて記憶されている。この端末位置情報は、対象となる利用者が、いつ、どの位置で野外活動を行っていたのかが特定できるように構成されるものである。さらに、各利用者情報には、野外活動記録の素材となるべきものとして利用者が作成した画像情報、コメント情報等の利用者作成情報と、利用者作成情報の作成位置を特定する位置特定情報（ここではその作成位置に関する時間情報）とが対応付けられて記憶されている。この位置特定情報は、例えば画像の撮影がどの位置でおこなわれたのか、或いはコメントの作成がどの位置で行われたのかというようなことを特定するための情報である。
【００２７】
なお、図１では、コンピュータ２０と各データベース３１〜３５を別装置として構成しているが、コンピュータ２０の内部、具体的には記憶手段２３においてこのようなデータベースを設けても良い。また、図１では、データベース３１〜３５は、それぞれのデータベースが別々の記憶媒体に記憶されるように構成されているが、このうちの２種以上、若しくは全部のデータベースが同一の記憶媒体における別々の記憶領域に記憶されるようにしてもよい。
【００２８】
次に、野外活動における情報収集に用いる移動端末３について図２を参照して説明する。
図２に示すように、移動端末３は、所定の入力を行うための入力手段１１と、外部と通信を行うための通信手段１２（モデム、ルータ、その他の通信装置等）と、ＣＰＵからなる演算処理手段１３と、必要なデータ及びプログラムを演算処理手段１３にて読取可能な状態で記憶するための記憶手段１４と、データを視覚的に出力するための出力手段１５とをケースに一体的に組み付けたコンピュータ部１０を主体としてハードウェアが構成されるものである。入力手段１１は、ケースと一体的に組みつけられたキーボードやボタン、レバー、或いは後述するタッチパネル入力部等により構成され、記憶手段１４は、ＲＯＭ，ＲＡＭ，ＨＤＤなどの当該ケース内に固定される固定記憶装置や、記憶媒体がケース外部に取り出し可能に構成される外部記憶装置などにより構成される。外部記憶装置としては、サーバ２に関しての説明と同様に、スティック状，カード状に構成された半導体メモリーを利用した脱着可能な記憶媒体を用いるものや、光磁気ディスクやフレキシブルディスクなどリムーバブルな各種ディスクを記憶媒体として用いるものが挙げられる。なお、図示はしていないが内蔵電源も備えている。
【００２９】
具体的には、ハードキーボードを有さず、手のひらにのる程度の大きさに設計されたものはパームトップコンピュータあるいはＰＤＡ（Ｐｅｒｓｏｎａｌ  Ｄｉｇｉｔａｌ  Ａｓｓｉｓｔａｎｔの略）と称されるものを用いると、持ち歩くのに非常に便利であるため野外活動において好適に用いることができる。このパームトップコンピュータやＰＤＡでは、入力手段１１を、データを視覚的に出力するための液晶表示部と、その液晶表示部に対し表示内容を透視可能な状態で重ね配置され、電気的に設定される入力区画に指やペン等の入力指示体にて触れることにより所定の入力を行うタッチパネル入力部を備えた構成とすることができる。さらに、記憶手段１４として、バックアップ電源付ＲＡＭ、ＰＲＯＭ又はＥＰＲＯＭなどの固定記憶装置を用いて必要なデータ及びプログラムをＣＰＵが読取可能な状態で記憶することができ、一方、収集した情報を記憶するため、スティック状、カード状に形成された外部記憶媒体に対する記憶を行う外部記憶装置を設けることができる。なお、ＰＤＡやパームトップコンピュータに限らず、移動端末３としてラップトップパソコンあるいはノートパソコン等を使用してもよく、携帯式の電話装置（いわゆる携帯電話、ＰＨＳと称されるもの）を用いるようにしてもよい。
【００３０】
さらに、移動端末３においては、ＧＰＳ衛星よりＧＰＳ情報を受信するＧＰＳ情報受信手段１７が設けられており、この受信手段１７は、移動端末３におけるコンピュータ部のケースの内部に固定的に配置されるか、又は取付け可能に構成され、この受信手段により受信されたＧＰＳ情報が通信手段１２を介してＣＰＵ１３に入力されるようになっている。
【００３１】
また、画像撮影装置１８が設けられており、この画像撮影装置１８は、デジタルカメラ、或いはデジタルビデオカメラなどとして構成され、画像情報を生成する画像情報生成手段と、その画像が撮影された時間に関する情報を生成する画像撮影時間情報生成手段と、撮影された画像情報を、その撮影時間情報（具体的には撮影時刻の情報）と対応付けて記憶する画像記憶手段とが設けられている。なお、画像情報生成手段は、画像撮影装置１８内部に設けられたＣＰＵやマイコンなどの演算処理手段を主体として成るものであり、画像情報記憶手段は、画像撮影装置１８内部の記憶手段としては、例えば、移動端末３と同様の固定記憶装置や外部記憶装置を用いることができるが、スティック状，カード状に構成された半導体メモリーを利用した脱着可能な記憶媒体を用いる外部記憶装置を使用すると、装置構成が小型となり、情報の移動も簡単に行えることとなる。なお、この画像撮影装置１８と移動端末３のコンピュータ部１０は同一ケースに組み込まれたかたちで、例えばカメラ付きＰＤＡなどとして構成してもよいし、それぞれ別々に構成してもよい。このような画像撮影装置１８にて撮影される画像は、利用者作成情報として、又は利用者作成情報の一部として構成されることとなり、上記の撮影時間情報は、その画像撮影位置を特定するための位置特定情報として機能することとなる。
【００３２】
そして、このように構成される移動端末３において、端末位置情報及び利用者作成情報は図３のような流れをとりつつ生成される。なお、本実施形態では、移動端末の位置を所定時間毎に検出するような処理を行う一方、利用者からの入力があった場合にその地点の利用者作成情報を生成する例を示している。
【００３３】
図３に示すフローチャートは、移動端末３が野外活動において移動した際の、その移動端末３の位置情報を、時間情報とともに記憶する処理の流れを示すものであり、まず図３のＳ１００のように、当該処理の実行開始、または前回処理から所定時間経過した場合にＹＥＳに進み、ＧＰＳ情報受信手段１７（図２）にてＧＰＳ情報を受信し（Ｓ１１０）、かつ、そのＧＰＳ情報の受信時刻の情報をその端末位置に対応する時間情報として生成する（Ｓ１２０）。そして、その受信したＧＰＳ情報に基づき、端末位置情報としてその移動端末３の座標情報を生成し（Ｓ１３０）、その後、Ｓ１４０のようにその座標情報と上記の時刻情報を対応付けて記憶することにより、図５（ａ）のように端末位置情報（座標情報）と時間情報（時刻情報）とが対応付けられて記憶手段１４に記憶されることとなる。これにより、野外活動における移動軌跡上の地図上の座標位置と、その座標位置にて野外活動を行っていた時刻の対応が明確となる。なお、図３の例では、所定時間毎に端末位置情報を登録する処理を行っているが、これに限らず、例えば移動端末２が所定距離移動した毎に端末位置情報を登録する処理を行うようにしてもよい。また、Ｓ１００の分岐は、無限ループを意図するものではなく、所定時間の経過をトリガとしてＳ１１０に進むことを示している。
【００３４】
また、図４のフローチャートの処理は、利用者から野外活動記録を作成するための素材となるべきデータの入力があった場合についての流れを示している。図４のように、利用者から素材となるコメント情報、画像情報などのデータ入力があった場合には、Ｓ２００においてＹＥＳに進み、その入力情報に基づいて利用者作成情報を生成する（Ｓ２１０）。なお、ここでいう利用者作成情報は、野外活動に関連する情報として利用者が作成したもの全般を指すものである。そして、利用者作成情報と対応した時間情報を、例えばその利用者作成情報を作成した時刻の時刻情報として生成し（Ｓ２２０）、それら生成された利用者作成情報と時間情報（即ち、時刻情報）とを対応付けて図５（ｂ）のように記憶手段１４に記憶することとなる。これにより、利用者作成情報と、その利用者作成情報の作成時刻情報との対応が明確となるため、その時刻情報をよりどころとすればその作成位置を地図上において特定できることとなる。また、Ｓ２００の分岐は、無限ループを意図するものではなく、利用者からのデータ入力をトリガとしてＳ２１０に進むことを示している。なお、図３及び図４のフローチャートはあくまで一例であり、端末位置情報を時間情報と対応付けて記憶できる処理方法、或いは利用者作成情報を時間情報と対応付けて記憶できる処理方法であればそれぞれ別の方法を用いてもよい。
【００３５】
また、移動端末３の記憶手段１４においては、野外活動記録の素材となる図鑑情報などの素材情報が図６（ａ）のような構成にて予めデータベースとして記憶されており、素材情報記憶手段として機能している。そして、利用者から素材を選択する選択情報が入力されることに基づいて、そのデータベースから選択情報に対応した素材情報が抽出され、その抽出された素材情報に基づいて利用者作成情報が生成されて利用者情報として登録されるようになっている。この具体的な処理の流れとしては図７の図鑑情報登録処理のような例を挙げることができ、この例においては演算処理手段１３（即ちＣＰＵ）が素材情報抽出手段として機能することとなる。
【００３６】
図７のフローチャートは図鑑情報を利用者作成情報として登録する流れを示しており、図４の利用者作成情報登録処理の一実施例を示すものである。
当該処理が開始されると、まず移動端末３のモニタ上に初期画面が表示される（Ｓ３００）。この初期画面は例えば図６（ａ）のように記憶される複数種類の図鑑の中から利用者が要望する種類の図鑑を選ばせるような画面として構成することができる。例えば、花図鑑、動物図鑑、土地の風習などの図鑑等、複数種の図鑑の項目表示を行い、いずれかの図鑑を選択させるようにする。そして、Ｓ３１０にて図鑑が選択されると、該当する図鑑において対象物を選択するための選択用画面を表示する（Ｓ３２０）。この選択用画面は、例えば、対象物の名称や画像を一覧表示して選択させるようにしたり、或いは名称をテキスト入力させるような構成とすることもできる。例えば、図６（ｂ）のようにデータ構成される植物図鑑の場合、各々の植物の画像を移動端末３のモニタ上に一覧表示して選ばせるようにすることができる。
【００３７】
そしていずれかの対象物が選択された場合にはＳ３３０においてＹＥＳに進み、その選択された対象物の詳細情報を表示する（Ｓ３４０）。植物図鑑情報において、いずれかの植物が選択された場合に、その植物の詳細情報（例えば説明情報や画像情報）を表示することができる。選択がない場合にはＳ３３０にてＮＯに進み、初期画面に戻る場合にはＳ３７０にてＹＥＳに進んで再び初期画面を表示して別の図鑑を選択できるようにする。また、終了する場合にはＳ３７０にてＮＯに進む。そして、Ｓ３４０にて表示された詳細情報を利用者作成情報として登録する場合にはＳ３５０にてＹＥＳに進み、Ｓ３６０にてその対象物の情報をその作成時刻情報と対応付けて登録する。登録せず、当該図鑑のほかの対象物を選択する場合には３８０にてＹＥＳに進んで再び対象物選択用の画面を表示し、一方、終了する場合にはＳ３８０にてＮＯに進むこととなる。
【００３８】
また、上記説明では、移動端末３の記憶手段１４を素材情報記憶手段として機能させる例を示したが、サーバ２側でこのような機能をもたせてもよい。この場合には、例えば自然環境データベース３３内に図６のようなデータをもたせて、これを素材情報記憶手段として機能させるようにしてもよい。この場合、移動端末３において素材を選択する選択情報が入力された場合に、その入力された選択情報をサーバ２に送信するようにする。そして、サーバ２はその選択情報を受信し、自然環境データベース３３から選択情報に対応した素材情報を抽出し、移動端末３に向けて出力することとなる。このようにすれば、必要に応じて素材情報をサーバからダウンロードすれば良いため、移動端末３側に多量のデータを備えておく必要がなく、移動端末３に記憶されるデータ量を効果的に削減でき、ひいては移動端末３の小型化に寄与することとなる。なおこの場合にはＣＰＵからなる演算処理手段２２が素材情報抽出手段として機能することとなる。
【００３９】
上記のように野外活動中において収集した情報に基づいて、野外活動者は以下のように野外活動記録を作成することができる。
まず、野外活動情報データベース３５の具体的構成について説明する。
サーバ２における野外活動情報データベース３５のデータ構成は、図８（ａ）に示すような利用者毎の利用者情報としてデータ分類することができ、それら記憶される利用者情報は、具体的には図８（ｂ）のような構成をなしている。このような情報は、各移動端末３にて生成・記憶された図５（ａ）（ｂ）のような情報がサーバ２に送られて構成されるものである。具体的には移動端末３が野外を移動した際に、その移動軌跡上の複数位置においてＧＰＳ情報に基づいて生成された端末位置情報（ここではＸＹＺのそれぞれの座標を示す座標情報）が、その生成された時刻の時刻情報（時刻Ｔ１，Ｔ２，Ｔ３等）と対応付けて記憶されており、これによれば、移動端末３がいつどの位置で活動していたのかが明確となる。さらに、各利用者情報には、野外活動記録の素材となるべきものとして当該利用者が作成した画像情報、コメント情報等の利用者作成情報とともに、移動軌跡上におけるそれら画像やコメントの対象となる位置において利用者が野外活動を行っていた時刻の時刻情報が対応して記憶されている。従って、野外活動中にその場で利用者作成情報を作成した場合にはその作成時刻が記憶されることとなる。このようにすることにより、利用者作成情報がいつ作成されたのかが明確となっており、その作成された時刻の時刻情報に基づいて、作成位置が特定可能となっている。
【００４０】
そして、野外活動記録を作成する場合には、図２０に示すように、まず端末位置情報を読み出し（Ｓ４００）、この読み出された情報に基づいて必要となる地図の範囲を決定する（Ｓ４１０）。この決定の方法は種々考えられるが、例えば、端末位置情報のＸＹＺの座標情報は、それぞれ緯度、経度、及び高度を示すものとすることができ、対象となるすべての端末位置情報が含まれるような緯度範囲、経度範囲を求め、これら範囲に所定の幅を持たせたかたちで地図の範囲を決定するといった方法が挙げられる。そして、決定された範囲の地図情報を地図データベース３１から読み出し（Ｓ４２０）、さらに、この地図情報と、収集された端末位置情報及び利用者作成情報とを合成して図１９のようなフィールドノートを野外活動記録として作成することができる。本実施形態においては、演算処理手段２２がこのような合成を行う合成手段として機能する。
【００４１】
なお、この合成については、図２１に示すような方法が考えられる。
図２１では、端末位置情報に基づいて移動軌跡を描画する方法を示しており、端末位置を順次定めるとともに、その端末位置をたどることにより図１９に示すように描画された移動軌跡５０が作成される。なお、ここでは地図上において２次元的に移動軌跡を描画する例について示しているが、３次元的に描画するようにしてもよい。一方、描画された移動軌跡５０上において、利用者作成情報を組み込む方法としては図２１（ｂ）のような方法が挙げられる。図２１（ｂ）の方法では、利用者作成情報の対象位置に係る時刻情報に基づいてその対応位置を検出するようにしている。検出の方法としては、検出対象となる利用者作成情報の時刻情報に対し、時刻情報が前後する２つの端末位置情報（ここでは時刻Ｔ１、Ｔ２の端末位置情報）を検出し、前後する時間の中点位置をその生成位置とみなすようにしてもよく、生成時間に最も近い時間の端末位置をその生成位置とみなすようにしてもよい。または、前後する２点の端末位置及び時刻情報に基づいて所定の補間式により補間するようにして該当位置を求めるようにしてもよい。このようにして移動軌跡の描画情報５０と、写真５１ａやコメント５１ｂなどにより構成される利用者作成情報の表示部５１と、その利用者作成情報の地図上における作成位置５３との対応付けを行い、図１９のような野外活動記録が作成される。なお、このような野外活動記録は、電子ファイルとして記憶しておいてもよく、プリンタによって印刷してもよい。
【００４２】
なお、上記の例では、サーバ２の野外活動情報データベース３５に、複数の利用者についての利用者情報が格納され、その中から野外活動記録の作成対象となる利用者についての利用者情報を読み出して野外活動記録を作成する例を示したが、これはサーバ２において端末位置情報や利用者作成情報を記憶する一形態であり、このような方法に限定されない。例えば、データベース化せずに、作成対象となる利用者情報を単に記憶手段２３に記憶しておき、その記憶される利用者情報に基づいて描画することも可能である。なお、ここでは図１９のようなフィールドノートを野外活動記録として作成する例を示したが、本実施形態ではこのような例に限らず、野外活動者が記録として残す様々なものを対象とすることができ、単に、移動軌跡のみを情報として残すものなども野外活動記録に含まれる。
【００４３】
そして、このように、野外活動において収集され、例えば野外活動記録作成などに用いられるような情報は、野外活動情報データベース３５に記憶されて、後述する分析手段により分析されることで、野外活動者の知識や経験の蓄積のみならず、様々な用途に効果的に適用できる新たな付加価値が生み出されることとなる。以下、分析手段による分析方法について説明する。
【００４４】
図９は、上記のように情報収集され、野外活動情報データベース３５に蓄積された野外活動情報の分析を行い、植生マップを作成する方法について示している。
図９に示すように、植生マップ作成処理が開始されると、まず初期画面を表示する（Ｓ４００）。この初期画面の構成は種々考えられるが、ここでは、対象地域を選択入力させるような画面として構成する。対象地域が選択された場合にはＳ４１０においてＹＥＳに進み、Ｓ４２０にてその対象地域の地図データを地図データベース３１より抽出する。さらに、マップ作成対象物の選択用の画面を表示する（Ｓ４３０）。この選択用の画面表示は、例えば、植物名や植物の画像を一覧表示して、いずれかを選択させるようなものが挙げられる。そして、作成対象物が選択された場合にはＳ４４０にてＹＥＳに進み、その選択された対象物に関連するデータを野外活動情報データベース３５より抽出する（Ｓ４５０）。例えば、対象物として植物Ａ，Ｂ，Ｃが選択された場合には、その植物Ａ，Ｂ，Ｃに対応した植物コードＡ，Ｂ，Ｃが付与されている位置情報を抽出する。そして、その抽出された位置情報にて特定される地図上の位置に、各々の植物に対応したマークを、例えば図１１のように表示させる。
【００４５】
なお、野外活動情報データベース３５においては、上述した図鑑情報登録処理において登録された植物に関する情報が記憶されており、その中から対象の植物に関するものを図１０のように抽出する。なお、図１０は、植物Ａ，Ｂ，Ｃの情報を含む利用者作成データのデータレコードのみを抽出した例を示しており、ここでは、植物名に対応してコードが付与され、所定のコードを検索することにより必要となる情報を抽出している。そして、植物コードＡ，Ｂ，Ｃの付与されている利用者作成データを抽出して各々の生育位置を、対応する位置情報（具体的には端末位置情報として得られた座標情報）により特定している。そして、このように各々特定される位置において、それぞれ種類別にマークを表示すれば図１１のような植生マップが得られることとなる。
【００４６】
また、Ｓ４４０にて対象物が選択されない場合、当該終了するのであれば、Ｓ４７０にてＮＯに進んで処理を終了する。また、終了しない場合には、マップ選択用の画面や初期画面に戻るようにしてもよい。なお、図１０に示すように、各々の利用者作成情報には、植物コードと対応して時間データも記憶されているため、所望の季節に限定したかたちで、植生マップを作成することも可能である。例えば、１０月〜１２月における植物Ａの植生マップを作成するといったことも可能である。このように植生マップを作成する方法を用いることにより、各植物がどの位置に生育しているかが実際に野外活動を行ったものの収集データに基づいて確認でき、現実性の高いデータにより植生マップを効率的に作成できることとなる。
【００４７】
このようなシステム構成とすることにより、情報利用者は、野外活動者の収集した情報に基づいて有用な情報を取得かつ分析することにより新たな付加価値を生み出すことができ、一方、野外活動者は、自身の収集した情報に基づいて充実した野外活動記録などを効率的に作成することができるため、情報利用者及び野外活動者の双方にとって極めて有益なシステムを実現できることとなる。
【００４８】
＜第２実施形態＞
次に、本発明の第２実施形態を図１２ないし図１４を参照して説明する。
この第２実施形態では、野外活動情報データベース３５に蓄積される情報に基づいて地形図を作成するように分析処理を行っている。
図１２に示すように、地形図作成処理が開始されると、まず初期画面を表示する（Ｓ５００）。この初期画面の構成は種々考えられるが、ここでは、対象地域を選択させるように構成する。そして、対象となる地域が選択された場合にはＳ５１０においてＹＥＳに進み、その地域に含まれる端末位置情報を抽出する（Ｓ５２０）。具体的には、例えば緯度、経度の範囲を選択させるようにして、その範囲に含まれるＸ座標及びＹ座標を有する端末位置情報を野外活動情報データベース３５より抽出するようにすればよい。そしてその抽出された端末位置情報に基づいて地形図を作成することとなる（Ｓ５３０）。地形図の作成方法は種々考えられるが、図１３では、端末位置情報に基づいて等高線を作成する方法を示している。図１３に示すように、移動軌跡５０上における所定の端末位置５５の３次元座標が端末位置情報にて示されるため、ＸＹ平面上に展開された各々の端末位置情報のＺ座標を参照し、同じＺ座標値である端末位置５５をつなぐことにより同一高さの等高線を描画できることとなる。また、図１４に示すように、複数の端末位置情報（即ち３次元座標値）や、上記のような等高線情報に基づいて地形を立体的に描画することもできる。
【００４９】
＜第３実施形態＞
次に、本発明の第３実施形態を図１５及び図１６を参照して説明する。
第３実施形態は、移動経路を分析するように分析処理を行っているものである。
図１５のフローチャートに示すように、移動経路分析処理が開始されると、まず初期画面を表示する（Ｓ６００）。この初期画面の構成は種々考えられるが、ここでは、分析の対象となる地域を選択させるように構成する。そして、分析対象の地域が選択された場合には、地図情報を所定の領域毎に区切ったセグメント毎に、登録されている端末位置情報の数を算出する。図１６（ａ）には、地図を所定区域毎に区切った様子を示しており、このように区切られたセグメント６０毎に、端末位置情報の登録数を検出することとなる。
【００５０】
具体的には、Ｓ６２０にて示されるように端末位置情報数が未算出であるセグメントの情報を抽出し、そのセグメント内の座標値を示す端末位置情報の数を算出する。そして、算出結果をそのセグメントと対応付けて記憶する。すべてのセグメントの算出が終了していない場合には、Ｓ６５０にてＮＯに進み、Ｓ６２０にて未算出のセグメントの情報を抽出する処理を再び繰り返す。Ｓ６５０にてすべてのセグメントの算出が終了した場合にはＹＥＳに進み、Ｓ６６０にて分析結果を表示する。分析結果の表示方法は様々に考えられるが、例えば、図１６（ｂ）のように、セグメント毎に色分けで表示するようにしても良い。図１６の例では、端末位置情報数が最も多い区域を塗りつぶし、その次に多い地域を網掛けといったように、端末位置情報数が少ないセグメントほど背景色が薄くなるように、順々に色分けを行っており、どの区域に人が集中するのかが一目瞭然で判明することとなる。なお、ここに示す方法はあくまで一例であり、別の方法を用いるようにしてもよい。例えば、複数の利用者の移動軌跡を一覧表示させるようにしてその移動軌跡の集中度合いが表示画面上でわかるようにしてもよい。
【００５１】
＜第４実施形態＞
次に、本発明の第４実施形態を図１７及び図１８を参照して説明する。
第４実施形態では、蓄積された情報に基づいて、利用者の運動量を分析する処理を行っている。
図１７に示すように、運動量分析処理が開始されると、まず初期画面を表示する（Ｓ７００）。この初期画面の構成は種々考えられるが、ここでは、分析の対象となる地域を選択させるように構成する。そして、分析対象の地域が選択された場合には、Ｓ７１０においてＹＥＳに進み、その分析対象地域に関するものとして蓄積されるデータを抽出する（Ｓ７２０）。本実施形態においては、対象地域毎に平均散策時間と、平均運動量を算出するようにしており、Ｓ７３０及びＳ７４０にてその算出処理を行っている。そして、他地域の分析を行うのであればＳ７５０においてＹＥＳに進み、行わないのであればＮＯに進んでＳ７６０にて分析結果を表示することとなる。
【００５２】
具体的に言えば、本実施形態においては、各々の利用者情報毎に、地域情報が付与されており、どの地域において野外活動を行ったのかが特定できるようになっている。この地域情報の付与方法に付いては様々な方法があるが、例えば観光地毎に地域を分けたり、市町村毎、都道府県毎など様々な分け方にて地域情報を付与することができる。このように分けられる地域において、例えば地域Ａを分析対象とする場合には、図１８（ａ）のように、その地域Ａに関する野外活動の各々の散策時間を算出手段（例えば演算処理手段２２）により算出し、その平均値を求める。ここでは、散策時間の平均とともに、各々の移動端末の運動量を求め、それらの平均をも求めている。また、別の地域においても同様な方法にて平均散策時間、平均運動量を求めることができる（図１８（ａ）地域Ｂ参照）。
【００５３】
この運動量の求め方としては、例えば、利用者が収集した端末位置情報に基づき、野外活動全体を通しての移動端末の移動距離を算出手段（例えば演算処理手段２２）により算出し、得られた移動距離情報と、その利用者の身体に関する身体データ（具体的には体重データ等）とに基づいて野外活動における運動量に関するデータ（例えば消費カロリーデータ等）を求め、それを出力するようにしてもよい。上記のように端末位置情報は座標情報として表すことができるため、座標間の距離をそれぞれ求め、その座標間距離の総計をとることにより野外活動全体における移動距離が算出できる。このように算出された各々の運動量に基づいて、対象となる地域の平均を算出することとなる。このようにして地域毎の平均散策時間や平均運動量が判明し、それを複数地域行うことにより、各地域毎の平均散策時間や平均運動量を比較検討することが可能となる。また、図１８（ｂ）は図１８（ａ）をより具体化した例について示すものである。
【００５４】
なお、本実施形態において、図３、図４、図７、図９、図１２，図１５、及び図１７のようなフローチャートを例示したが、このような処理プログラムは、サーバ２内の記憶手段に設けておくことができる。また、これらの処理プログラムはあくまで例示であり、これらと同様の目的を達成できる別の処理プログラム構成としてもよい。また、上記の例では、分析処理における種々の入力をサーバ２内の入力手段から行うようにしているが、移動端末３の入力手段により行うようにしてもよい。この場合、入力された情報がサーバ２へ送信され、サーバ２内で分析処理が行われた結果（例えば、図１１，図１４，図１６のような表示画面）が、再びその入力元の移動端末３に出力されるように構成することができる。この場合、図３、図４、図７、図９、図１２，図１５、及び図１７のプログラムの一部機能を、移動端末３の記憶手段１４にプログラムとして設けておくようにするとよい。
【００５５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、端末位置情報及び利用者作成情報を移動端末３からインターネットを介してサーバ２に送信し、サーバ２内に記憶する方法を示しているが、一旦移動端末３の記憶手段１４（図３参照）に記憶しておき、野外活動終了後にその情報をサーバに移し変えるような方法を用いてもよい。この場合、野外活動中には、端末位置情報と、写真、コメント、その他の利用者作成情報とを小型記憶媒体（例えば、スティック状、カード状の外部記憶媒体）中に記憶しておき、野外活動終了後にサーバに転送したり、或いは小型記録媒体をサーバ２側に移動させて移し変えるような方法を用いることができる。移し変えられた情報は、サーバ２内の記憶手段２３又は利用者ＤＢにおいて図８（ｂ）のように記憶されて野外活動記録の作成に用いられることとなる。なお、移動端末３自体の構成やサーバ２自体の構成については、上記第１実施形態と同様とすることができる。
【００５６】
（２）また、図３の構成では、コンピュータ１０と画像撮影装置１８が一体化又は情報送信可能に接続された例を示したが、それぞれ別々の装置として構成してもよい。具体的には端末位置情報を記憶する記憶媒体と、画像情報を記憶する記憶媒体を別々に設けて野外活動を行い、各々別々の記憶媒体にて記憶された端末位置情報及び画像情報を時間情報に基づいて対応付けるようにしてもよい。この場合、画像撮影装置１８において、画像を撮影する際に時間情報（具体的には撮影時刻）と対応付けて撮影し、記憶手段（外部記憶媒体）に記憶する。そして、外部記憶媒体をサーバ２側に移動させて情報を移し変え、その時間情報に基づいて図５（ｂ）のようにデータ合成する。このように、別々の端末位置情報と利用者作成情報を別々の記憶媒体で記憶したとしても、時間情報が判明していれば移動軌跡上の位置が特定できることとなる。
【００５７】
（３）  上記実施形態においては、利用者作成情報として写真、コメントを例に挙げて説明したが、音声情報としてもよい。この例としては、移動端末３に組付けた形態で、又はこの移動端末３と接続した形態でマイクを設け、入力される音声情報を音声ファイルとして記憶する方法が挙げられる。この場合、音声ファイルは利用者作成情報として時間情報と対応付けられて記憶されることとなる。また、音声情報を含む動画ファイルとして構成してもよい。
【００５８】
（４）  上記実施形態においては、コメントなどの情報を、そのコメントの対象となる位置において入力する例について示したが、後でこのようなコメントを入力するようにしてもよい。例えば、作成時刻とコメントをメモなどとして紙に残しておき、後からこのようなコメント情報をその作成時刻と対応付けて入力し、図５（ｂ）又は図８（ｂ）のように登録してもよい。時刻情報さえ判明すれば、そのコメントの作成位置が後からでも容易に対応付けられることとなる。
【００５９】
（５）  上記システムを、カーナビゲーションシステム等のナビゲーションシステムに適用してもよい。例えば、カーナビゲーションシステム上で、利用者作成情報や移動軌跡情報を読み出せるようにすれば、自身が行った野外活動の記録を情報として入力し、カーナビゲーションシステムを自分専用にカスタマイズするといったことも可能になり、ナビゲーションシステムの有用性が一層高められる。また、上記分析処理による分析結果を、ナビゲーションシステムの端末装置にて表示できるようにすれば、ナビゲーションシステムの利用者は、各々の土地に関しての、より具体的で、有用な情報が取得できることとなる。
【図面の簡単な説明】
【図１】本発明の第１実施形態に係る野外活動情報利用システムを概念的に説明する概念図
【図２】移動端末の構成の一例を概念的に示す概念図
【図３】端末位置情報登録処理の流れを例示するフローチャート
【図４】利用者作成情報登録処理のの流れを例示するフローチャート
【図５】端末位置情報及び利用者作成情報のデータ構成をそれぞれ示す説明図
【図６】図鑑情報のデータ構成を例示する説明図
【図７】図鑑情報を用いて利用者作成情報を登録する処理を例示するフローチャート
【図８】サーバに記憶される利用者情報のデータ構成を示す説明図
【図９】植生マップ作成処理の流れを例示するフローチャート
【図１０】データ抽出の一例を示す図
【図１１】植生マップを例示する図
【図１２】地形図作成処理を例示するフローチャート
【図１３】端末位置情報に基づいて等高線を作成する方法を説明する説明図
【図１４】端末位置情報に基づいて地形図を作成する方法を説明する説明図
【図１５】移動経路分析処理の流れを例示するフローチャート
【図１６】人の立ち寄る傾向の分析方法を説明する説明図
【図１７】運動量分析処理の流れを例示するフローチャート
【図１８】運動量分析処理におけるデータ抽出について説明する説明図
【図１９】野外活動における収集情報に基づいて作成された野外活動記録を例示する説明図
【図２０】図１９の野外活動記録を作成する処理を例示するフローチャート
【図２１】図１９の野外活動記録の具体的作成方法を部分的に例示する説明図
【符号の説明】
１…野外活動情報利用システム
２…サーバ
３…移動端末
１１…入力手段
１３…演算処理手段（生成手段、素材抽出手段）
１４…記憶手段（素材情報記憶手段）
１７…ＧＰＳ情報受信手段（受信装置、位置検出装置）
２２…演算処理手段（分析手段、地形図作成手段、マップ作成手段、移動傾向分析手段、算出手段、統計処理手段、比較処理手段）
２５…出力手段（比較結果出力手段）
３１…地図データベース（地図情報記憶手段）
３５…野外活動情報データベース（端末位置情報記憶手段、利用者作成情報記憶手段）
【図１】
2004171408.tif 000003
【図２】
2004171408.tif 000004
【図３】
2004171408.tif 000005
【図４】
2004171408.tif 000006
【図５】
2004171408.tif 000007
【図６】
2004171408.tif 000008
【図７】
2004171408.tif 000009
【図８】
2004171408.tif 000010
【図９】
2004171408.tif 000011
【図１０】
2004171408.tif 000012
【図１１】
2004171408.tif 000013
【図１２】
2004171408.tif 000014
【図１３】
2004171408.tif 000015
【図１４】
2004171408.tif 000016
【図１５】
2004171408.tif 000017
【図１６】
2004171408.tif 000018
【図１７】
2004171408.tif 000019
【図１８】
2004171408.tif 000020
【図１９】
2004171408.tif 000021
【図２０】
2004171408.tif 000022
【図２１】
2004171408.tif 000023